【手続補正書】
【提出日】平成15年12月24日(2003.12.24)
【手続補正１】
【補正対象書類名】明細書
【補正対象項目名】特許請求の範囲
【補正方法】変更
【補正の内容】
【特許請求の範囲】
【請求項１】
吸口本体と、一端が前記吸口本体に回転可能に取付けられた下腕部と、一端が前記下腕部の他端と回転可能に取付けられた上腕部とを有する吸口体と、前記上腕部の他端に取付けられた接続管と、前記接続管に接続された手元ハンドルと、を有する電気掃除機であって、
前記下腕部の一端は前記下腕部が前記吸口本体に対して高低方向又は左右方向に回転可能になるように取付けられ、
前記下腕部の他端には前記上腕部が前記吸口本体に対して左右方向又は高低方向に回転可能に取付けられ、
前記吸口体を旋回させた状態で、前記下腕部及び前記上腕部が前記吸口本体の投影面積内に収まる位置まで回転可能とし、
前記吸口本体の下部には車輪又は刷毛を設けたことを特徴とする電気掃除機。
【請求項２】
吸口本体と、一端が前記吸口本体に回転可能に取付けられた下腕部と、一端が前記下腕部の他端と回転可能に取付けられた上腕部と、前記上腕部の他端に取付けられた接続管と、前記接続管に接続された手元ハンドルと、を有する電気掃除機であって、
前記下腕部及び前記上腕部はその内面に通風路が形成され、前記下腕部の一端は前記下腕部が前記吸口本体に対して一つの回転軸線周りに高低方向に回転可能になるように取付けられ、
前記下腕部の他端に取付けられる前記上腕部の一端は、前記一つの回転軸線と直交し、かつ前記上腕部の軸線と直交する他の回転軸線周りに回転可能に取付けられたことを特徴とする電気掃除機。
【請求項３】
吸口本体と、一端が前記吸口本体に回転可能に取付けられた下腕部と、一端が前記下腕部の他端と回転可能に取付けられた上腕部と、前記上腕部の他端に取付けられた接続管と、前記接続管に接続された手元ハンドルと、を有する電気掃除機であって、
前記下腕部の一端は前記下腕部が前記吸口本体に対して一つの回転軸線周りに高低方向に回転可能になるように取付けられ、
前記下腕部の他端に取付けられる前記上腕部の一端は、前記一つの回転軸線と直交し、かつ前記上腕部の軸線と直交する他の回転軸線周りに回転可能に取付けられ、
前記吸口本体の下部には車輪又は刷毛を設けたことを特徴とする電気掃除機。
【請求項４】
吸口本体と、一端が前記吸口本体に回転可能に取付けられた下腕部と、一端が前記下腕部の他端と回転可能に取付けられた上腕部と、前記上腕部の他端に取付けられた接続管と、前記接続管に接続された手元ハンドルと、を有する電気掃除機であって、
前記下腕部の一端は前記下腕部の他端が前記吸口本体に対して一つの回転軸線周りに高低方向に回転可能になるように取付けられ、
前記下腕部の他端に取付けられる前記上腕部の一端は、前記一つの回転軸線と直交し、かつ前記上腕部の軸線と直交する他の回転軸線周りに回転可能に取付けられ、
前記吸口本体の下部には複数の車輪を備え、前記複数の車輪のうちの最後部車輪は前記一つの回転軸線よりも後方に設けられたことを特徴とする電気掃除機。
【請求項５】
請求項１〜４のいずれか１項に記載において、
前記下腕部は床面に対して略垂直の位置を取りうるように前記吸口本体に取付けられていることを特徴とする電気掃除機。
【請求項６】
請求項１〜４のいずれか１項に記載において、
前記下腕部の一端は前記吸口本体の中央後部に取付けられたことを特徴とする電気掃除機。
【請求項７】
請求項１または３に記載において、
前記車輪は自在車輪であることを特徴とする電気掃除機。
【請求項８】
電気掃除機本体と、該電気掃除機本体に取付けられた吸引ホースと、前記吸引ホースに取付けられた手元ハンドルと、前記手元ハンドルに取付けられた接続管と、前記接続管に取付けられた吸口体とを有する電気掃除機において、
前記吸口体は、略長方形状の吸口本体と、それ自身の内面に通風路が形成された自在連結部とを有し、前記自在連結部は一端が前記吸口本体に取付けられた筒状の下腕部と、前記下腕部の他端と前記接続管に取付けられる筒状の上腕部を有し、
前記下腕部の一端は前記吸口本体に一つの回転軸周りに回転可能に取付けられ、前記下腕部の他端は前記上腕部の一端と前記一つの回転軸と直交し、かつ前記上腕部の軸線と直交する他の回転軸周りに回転可能に取付けられ、前記上腕部は床面に対し略垂直な位置まで回転可能としたことを特徴とした電気掃除機。
【請求項９】
請求項８に記載において、
前記下腕部と前記上腕部のそれぞれが直線状に並び得ることを特徴とする電気掃除機。
【請求項１０】
電気掃除機本体と、該電気掃除機本体に取付けられた吸引ホースと、前記吸引ホースに取付けられた手元ハンドルと、前記手元ハンドルに取付けられた接続管と、前記接続管に取付けられた吸口体とを有する電気掃除機において、
前記吸口体は、略長方形状の吸口本体と、一端が前記吸口本体に回転可能に取付けられた筒状の下腕部と、前記下腕部の他端と前記接続管に取付けられる筒状の上腕部を有し、
前記下腕部の一端は前記吸口本体に一つの回転軸周りに前記下腕部の他端が高さ方向に回転可能に取付けられ、前記下腕部の他端は前記上腕部の一端と前記一つの回転軸と直交し、かつ前記上腕部の軸線と直交する他の回転軸周りに回転可能に取付けられ、前記接続管を高低方向の床面から最低角度にした状態で前記下腕部と前記上腕部とが直線状に並び得ることを特徴とする電気掃除機。
【手続補正２】
【補正対象書類名】明細書
【補正対象項目名】０００８
【補正方法】変更
【補正の内容】
【０００８】
本発明の目的は、手元ハンドルのひねり動作で吸口体を旋回させ、壁際の塵埃を効率よく吸い取って清掃性を向上させることにある。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
【課題を解決するための手段】
上記した目的を達成するため、本願の代表的な１つの発明では、
吸口本体と、一端が前記吸口本体に回転可能に取付けられた下腕部と、一端が前記下腕部の他端と回転可能に取付けられた上腕部とを有する吸口体と、前記上腕部の他端に取付けられた接続管と、前記接続管に接続された手元ハンドルと、を有する電気掃除機において、
前記下腕部の一端は前記下腕部が前記吸口本体に対して高低方向又は左右方向に回転可能になるように取付けられ、
前記下腕部の他端には前記上腕部が前記吸口本体に対して左右方向又は高低方向に回転可能に取付けられ、
前記吸口体を旋回させた状態で、前記下腕部及び前記上腕部が前記吸口本体の投影面積内に収まる位置まで回転可能とし、
前記吸口本体の下部には車輪又は刷毛を設けた、
構成とされる。
【手続補正６】
【補正対象書類名】明細書
【補正対象項目名】０１６７
【補正方法】変更
【補正の内容】
【０１６７】
【発明の効果】
本発明によれば、手元ハンドルのひねり動作で吸口体を旋回させ、壁際の塵埃を効率よく吸い取って清掃性を向上することができる。
【手続補正７】
【補正対象書類名】明細書
【補正対象項目名】０１６８
【補正方法】削除
【補正の内容】
【手続補正８】
【補正対象書類名】明細書
【補正対象項目名】０１６９
【補正方法】削除
【補正の内容】